【手続補正書】
【提出日】平成26年4月1日(2014.4.1)
【手続補正１】
【補正対象書類名】明細書
【補正対象項目名】０００４
【補正方法】変更
【補正の内容】
【０００４】
ところで、ＥＶＦ（Electronic View Finder ；電子ビューファインダ）を用いた電子双眼鏡では、対物レンズから入った光をＣＭＯＳなどの撮像素子により画像データに変換し、この画像データを液晶表示パネルなどの表示素子に表示する。使用者は、表示素子に表示された画像を接眼レンズにより拡大して観察するようになっている。このような電子双眼鏡では、例えば、接眼レンズの光軸に対して表示素子のロール角（前後軸の回転角）を調整する必要が生じる。
【手続補正２】
【補正対象書類名】明細書
【補正対象項目名】００１７
【補正方法】変更
【補正の内容】
【００１７】
図２は、接眼鏡筒２３Ｌ，２３Ｒの内部構成を概略的に表したものである。接眼鏡筒２３Ｌ内には、例えば、ＥＶＦ２１Ｌと、接眼レンズ２２Ｌと、台座３０Ｌとが配設されている。接眼鏡筒２３Ｒ内は、例えば、ＥＶＦ２１Ｒと、接眼レンズ２２Ｒと、台座３０Ｒとが配設されている。
【手続補正３】
【補正対象書類名】明細書
【補正対象項目名】００２０
【補正方法】変更
【補正の内容】
【００２０】
ＥＶＦ２１Ｌは、ＥＶＦ２１Ｒに対して、特定位置Ｐを通る前後方向の軸ＡＲ（以下、単に「前後軸ＡＲ」ともいう。）回り（矢印ＲＲ方向）の回転角（ロール角）が調整可能である。これにより、この電子双眼鏡では、ＥＶＦ２１Ｌ，ＥＶＦ２１Ｒのロール角を調整することが可能となっている。
【手続補正４】
【補正対象書類名】明細書
【補正対象項目名】００２８
【補正方法】変更
【補正の内容】
【００２８】
第１回転部材３２Ｌは、矢印ＲＲに示したように、第１固定部材３１Ｌの回転支持軸３１Ｌ２の回りに回転することにより、ＥＶＦレンズユニット２４Ｌを前後軸ＡＲ周りに回転（ロール回転）させるものである。第１回転部材３２Ｌは、例えば、回転本体部３２Ｌ１と、取付部３２Ｌ２とを有している。回転本体部３２Ｌ１は、第１固定部材３１Ｌの回転支持軸３１Ｌ２に嵌め込まれ、前後軸ＡＲの回りに回転可能である。取付部３２Ｌ２は、ＥＶＦレンズユニット２４Ｌの取付けのための部分であり、回転本体部３２Ｌ１の周囲にフランジ状に設けられている。
【手続補正５】
【補正対象書類名】明細書
【補正対象項目名】００３１
【補正方法】変更
【補正の内容】
【００３１】
第１調整ばね３５Ｌおよび第１調整ねじ３６Ｌは、第１回転部材３２ＬによるＥＶＦ２１Ｌのロール回転角度を調整するためのものである。すなわち、第１調整ばね３５Ｌは、第１回転部材３２Ｌを特定の回転方向（例えば矢印ＲＲに示した時計回り）に付勢することにより、第１回転部材３２Ｌの回転方向を一方向に規制するものである。一方、第１調整ねじ３６Ｌは、回転により、第１調整ばね３５Ｌによる付勢力を押し戻す方向に直線移動し、第１回転部材３２ＬおよびＥＶＦ２１Ｌのロール角を調整するものである。
【手続補正６】
【補正対象書類名】明細書
【補正対象項目名】００３４
【補正方法】変更
【補正の内容】
【００３４】
（ピッチ角調整機構）
次いで、ＥＶＦ２１Ｒのピッチ角調整のための機構について説明する。図６は、図２に示した台座３０Ｒの全体構成を表し、図７は、この台座３０Ｒを分解して表したものである。また、図８は、図６のＶＩＩＩ−ＶＩＩＩ線における断面構成を簡略的に表したものである。
【手続補正７】
【補正対象書類名】明細書
【補正対象項目名】００３７
【補正方法】変更
【補正の内容】
【００３７】
第２回転部材４２Ｒは、矢印ＲＰに示したように、上述した左右軸ＡＰの回りに回転することにより、ＥＶＦレンズユニット２４Ｒを左右軸ＡＰ周りに回転（ピッチ回転）させるものである。具体的には、第２回転部材４２Ｒは、第２固定部材４１Ｒの開口４１Ｒ１に嵌り込む矩形の部品である。第２回転部材４２Ｒの対向する二辺には、第２固定部材４１Ｒの回転ガイド４１Ｒ２に対応する曲面４２Ｒ１が設けられている。
【手続補正８】
【補正対象書類名】明細書
【補正対象項目名】００３８
【補正方法】変更
【補正の内容】
【００３８】
第２押え板ばね４３Ｒは、第２固定部材４１Ｒの下面との間に第２回転部材４２Ｒを挟み込んでがたつきを除去し、精確なピッチ角調整を可能とするものである。第２押え板ばね４３Ｒは、例えば、複数（例えば四本）の脚４３Ｒ１，４３Ｒ２，４３Ｒ３，４３Ｒ４で第２押え部材４４Ｒおよび第２回転部材４２Ｒを押さえている。一方、第２押えばね４３Ｒは、開口４１Ｒ１の周囲の複数（例えば四つ）の固定点４３Ｒ５，４３Ｒ６，４３Ｒ７，４３Ｒ８で、第２固定部材４１Ｒの底面に固定されている。
【手続補正９】
【補正対象書類名】明細書
【補正対象項目名】００４３
【補正方法】変更
【補正の内容】
【００４３】
（ヨウ角調整機構）
以下、ＥＶＦ２１Ｒのヨウ角調整のための機構について説明する。図９は、図７および図８に示した第２回転部材４２Ｒを分解して表したものである。また、図１０は図６のＸ−Ｘ線における断面構成を簡略的に表したものである。
【手続補正１０】
【補正対象書類名】明細書
【補正対象項目名】００４５
【補正方法】変更
【補正の内容】
【００４５】
第２回転部材４２Ｒは、例えば、底面の中央に矩形の開口４２Ｒ２を有している。この開口４２Ｒ２の対向する二辺には、回転ガイド４２Ｒ３が設けられている。回転ガイド４２Ｒ３は、第３回転部材５２Ｒを支持すると共に、第３回転部材５２Ｒを、上下軸ＡＹ回りに回転させるガイドとなる曲面であり、特定位置Ｐを中心とした円弧の断面形状を有している。
【手続補正１１】
【補正対象書類名】明細書
【補正対象項目名】００４６
【補正方法】変更
【補正の内容】
【００４６】
第３回転部材５２Ｒは、矢印ＲＹに示したように、上述した上下軸ＡＹの回りに回転することにより、ＥＶＦレンズユニット２４Ｒを上下軸ＡＹ周りに回転（ヨウ回転）させるものである。具体的には、第３回転部材５２Ｒは、第２回転部材４２Ｒの開口４２Ｒ２に嵌り込む矩形の部品である。第３回転部材５２Ｒの対向する二辺には、第２回転部材４２Ｒの回転ガイド４２Ｒ３に対応する曲面５２Ｒ１が設けられている。第３回転部材５２Ｒは、保持部材２５Ｒを間にして取付部材２６Ｒに固定されている。
【手続補正１２】
【補正対象書類名】明細書
【補正対象項目名】００４７
【補正方法】変更
【補正の内容】
【００４７】
第３押え板ばね５３Ｒは、第２回転部材４２Ｒの下面との間に第３回転部材５２Ｒを挟み込んでがたつきを除去し、精確なヨウ角調整を可能とするものである。第３押え板ばね５３Ｒは、例えば、複数（例えば四本）の脚５３Ｒ１，５３Ｒ２，５３Ｒ３，５３Ｒ４で第３押え部材５４Ｒおよび第３回転部材５２Ｒを押さえている。一方、第３押えばね５３Ｒは、開口４２Ｒ２の周囲の複数（例えば三つ）の固定点５３Ｒ５，５３Ｒ６，５３Ｒ７で、第２回転部材４２Ｒの底面に固定されている。
【手続補正１３】
【補正対象書類名】明細書
【補正対象項目名】００７２
【補正方法】変更
【補正の内容】
【００７２】
すなわち、撮像素子１２Ｌは、撮像素子１２Ｒに対して、前後方向の軸ＡＲ（前後軸ＡＲ）回りの回転角（ロール角）が調整可能である。これにより、この電子双眼鏡では、撮像素子１２Ｌ，１２Ｒのロール角を調整することが可能となっている。
【手続補正１４】
【補正対象書類名】図面
【補正対象項目名】図３
【補正方法】変更
【補正の内容】
【図３】
2012220742.tif 000001
【手続補正１５】
【補正対象書類名】図面
【補正対象項目名】図９
【補正方法】変更
【補正の内容】
【図９】
2012220742.tif 000002
【手続補正１６】
【補正対象書類名】図面
【補正対象項目名】図１０
【補正方法】変更
【補正の内容】
【図１０】
2012220742.tif 000003